(57)【要約】      （修正有）【課題】より良好な充電給電装置を提供する。【解決手段】充電給電装置１０は、略多面体状に形成された筐体１２と、筐体の複数の面１８Ａ〜１８Ｆのうちのいずれかである第１面１８Ａ、１８Ｃ、１８Ｄ、１８Ｆに形成された第１通気路３６Ａ、３６Ｃ、３６Ｄと、第１面と異なる第２面１８Ｅに形成された第２通気路３６Ｅと、を備える。第１通気路の断面積と第２通気路の断面積とが互いに異なる。第１通気路は吸気路であり、第２通気路は排気路であり、第１通気路の断面積は第２通気路の断面積より小さい。筐体内に備えられた発熱体と、発熱体を冷却するための送風機とを更に備える。【選択図】図５
2020191728.tif 000002
【特許請求の範囲】
【請求項１】
略多面体状に形成された筐体と、
前記筐体の複数の面のうちのいずれかである第１面に形成された第１通気路と、
前記第１面と異なる第２面に形成された第２通気路とを備え、
前記第１通気路の断面積と前記第２通気路の断面積とが互いに異なっている、充電給電装置。
【請求項２】
請求項１に記載の充電給電装置において、
前記第１通気路は、吸気路であり、
前記第２通気路は、排気路であり、
前記第１通気路の前記断面積は、前記第２通気路の前記断面積より小さい、充電給電装置。
【請求項３】
請求項１又は２に記載の充電給電装置において、
前記筐体内に備えられた発熱体と、
前記発熱体を冷却するための送風機とを更に備える、充電給電装置。
【請求項４】
請求項３に記載の充電給電装置において、
前記発熱体は、前記第１通気路に対して下流側に位置しているとともに、前記送風機に対して上流側に位置している、充電給電装置。
【請求項５】
請求項３又は４記載の充電給電装置において、
前記筐体内には、複数の前記発熱体が備えられており、
前記複数の発熱体は、第１発熱体と、前記第１発熱体よりも高温になる第２発熱体とを含み、
前記第１発熱体は、前記第２発熱体よりも上流側に位置している、充電給電装置。
【請求項６】
請求項１〜５のいずれか１項に記載の充電給電装置において、
前記第１面は、前記第１面のうちの外縁側を構成する外縁部材と、前記外縁部材の内側に配された内側部材とを備え、
前記第１通気路は、前記外縁部材の内端と前記内側部材の外端との間に形成されている、充電給電装置。
【請求項７】
請求項６に記載の充電給電装置において、
前記内側部材の外縁は、前記外縁部材の内縁より大きい、充電給電装置。
【請求項８】
請求項６に記載の充電給電装置において、
前記内側部材のうちの前記外縁部材と重なり合っている部分は、前記外縁部材のうちの前記内側部材と重なり合っている部分に対して、前記筐体の外側に位置している、充電給電装置。
【請求項９】
請求項７又は８記載の充電給電装置において、
前記外縁部材は、前記内側部材と前記外縁部材とが重なり合っている部位において前記内側部材に向かって突出する突出部を有する、充電給電装置。
【請求項１０】
請求項６〜９のいずれか１項に記載の充電給電装置において、
前記第１面に対向する第３面から前記第１面に向かう方向が第１方向であり、
前記外縁部材のうちの最も前記第１方向側に位置する部分は、前記内側部材のうちの最も前記第１方向側に位置する部分に対して、前記第１方向側に位置している、充電給電装置。
【請求項１１】
請求項１〜１０のいずれか１項に記載の充電給電装置において、
前記略多面体状は、略直方体状である、充電給電装置。
【発明の詳細な説明】
【技術分野】
【０００１】
本発明は、充電給電装置に関する。
【背景技術】
【０００２】
近時では、可搬型の充電給電装置が注目されている。特許文献１には、意匠性を向上させるとともに長時間にわたって電力を供給可能な可搬型充電給電装置が開示されている。特許文献２には、ファンを用いて筐体内の空気を循環させる冷却装置が開示されている。
【先行技術文献】
【特許文献】
【０００３】
【特許文献１】特開２０１９−６８５５２号公報
【特許文献２】特開２００５−１５０６６７号公報
【発明の概要】
【発明が解決しようとする課題】
【０００４】
しかしながら、より良好な充電給電装置を提供することが待望されている。
【０００５】
本発明の目的は、より良好な充電給電装置を提供することにある。
【課題を解決するための手段】
【０００６】
本発明の一態様による充電給電装置は、略多面体状に形成された筐体と、前記筐体の複数の面のうちのいずれかである第１面に形成された第１通気路と、前記第１面と異なる第２面に形成された第２通気路とを備え、前記第１通気路の断面積と前記第２通気路の断面積とが互いに異なっている。
【発明の効果】
【０００７】
本発明によれば、より良好な充電給電装置を提供することができる。
【図面の簡単な説明】
【０００８】
【図１】一実施形態による充電給電装置を示す斜視図である。
【図２】一実施形態による充電給電装置の筐体に対応する直方体のモデルを示す図である。
【図３】一実施形態による充電給電装置を示す斜視図である。
【図４】一実施形態による充電給電装置を示す斜視図である。
【図５】図５Ａ〜図５Ｆは、一実施形態による充電給電装置を示す六面図である。
【図６】一実施形態による充電給電装置を示す断面図である。
【図７】一実施形態による充電給電装置を示す断面斜視図である。
【図８】一実施形態による充電給電装置の一部を示す断面図である。
【図９】一実施形態による充電給電装置の一部を示す断面図である。
【図１０】筐体の下面側に備えられている部材を示す図である。
【図１１】図１１Ａ〜図１１Ｃは、水の流れを概念的に示す図である。
【図１２】図１２及び図１２Ｂは、一実施形態による充電給電装置を示す図である。
【図１３】図１３Ａ〜図１３Ｆは、一実施形態による充電給電装置を示す六面図である。
【図１４】一実施形態による充電給電装置の一部を示す断面図である。
【図１５】筐体を傾けた状態を示す図である。
【図１６】一実施形態による充電給電装置を搬送する場合の例を示す図である。
【図１７】一実施形態による充電給電装置を搬送する場合の例を示す図である。
【図１８】一実施形態による充電給電装置を搬送する場合の例を示す図である。
【図１９】収容室に対するバッテリの挿抜の例を示す図である。
【図２０】収容室に対するバッテリの挿入の例を示す図である。
【図２１】収容室に対するバッテリの挿入の例を示す図である。
【発明を実施するための形態】
【０００９】
本発明による充電給電装置について、好適な実施形態を挙げ、添付の図面を参照して以下に詳細に説明する。
【００１０】
［一実施形態］
一実施形態による充電給電装置について図面を用いて説明する。図１は、本実施形態による充電給電装置を示す斜視図である。
【００１１】
図１に示すように、充電給電装置１０には、筐体（ケーシング）１２が備えられている。筐体１２の形状は、略多面体状、より具体的には、略直方体状である。図１に示すように、筐体１２の各々の頂点及び各々の辺は、面取りされたような形状、即ち、湾曲形状をなしている。
【００１２】
図２は、本実施形態による充電給電装置の筐体に対応する直方体のモデルを示す図である。図２に示すように、筐体１２に対応する直方体２３には、下面（底面）１８Ａと、上面１８Ｂと、左側面（側面）１８Ｃと、右側面（側面）１８Ｄと、前面（前側面、側面）１８Ｅと、後面（後側面、側面）１８Ｆとが備えられている。面一般について説明する際には、符号１８を用い、個々の面について説明する際には、符号１８Ａ〜１８Ｆを用いる。
【００１３】
左側面１８Ｃ、右側面１８Ｄ、前面１８Ｅ、及び、後面１８Ｆは、下面１８Ａから折曲されて連なっている。また、左側面１８Ｃ、右側面１８Ｄ、前面１８Ｅ、及び、後面１８Ｆは、上面１８Ｂから折曲されて連なっている。下面１８Ａと上面１８Ｂとは、互いに沿っている、即ち、互いに平行になっている。即ち、下面１８Ａの法線方向と、上面１８Ｂの法線方向とは、互いに沿っている。左側面１８Ｃと右側面１８Ｄとは、互いに沿っている。換言すれば、左側面１８Ｃの法線方向と、右側面１８Ｄの法線方向とは、互いに沿っている。前面１８Ｅと後面１８Ｆとは、互いに沿っている。換言すれば、前面１８Ｅの法線方向と、後面１８Ｆの法線方向とは、互いに沿っている。
【００１４】
左側面１８Ｃから右側面１８Ｄに向かう方向、又は、右側面１８Ｄから左側面１８Ｃに向かう方向を、幅方向、即ち、Ｘ方向とする。前面１８Ｅから後面１８Ｆに向かう方向、又は、後面１８Ｆから前面１８Ｅに向かう方向を、奥行き方向、即ち、Ｙ方向とする。下面１８Ａから上面１８Ｂに向かう方向、又は、上面１８Ｂから下面１８Ａに向かう方向を、高さ方向、即ち、Ｚ方向とする。
【００１５】
筐体１２に対応する直方体２３には、１２個の辺２０Ａ〜２０Ｌが備えられている。辺２０Ａは、上面１８Ｂと後面１８Ｆとが交わる部位（部分、箇所）に位置している。辺２０Ｂは、上面１８Ｂと前面１８Ｅとが交わる部位に位置している。辺２０Ｃは、下面１８Ａと前面１８Ｅとが交わる部位に位置している。辺２０Ｄは、下面１８Ａと後面１８Ｆとが交わる部位に位置している。辺２０Ａ〜２０Ｄは、互いに沿っている。
【００１６】
辺２０Ｅは、上面１８Ｂと左側面１８Ｃとが交わる部位に位置している。辺２０Ｆは、下面１８Ａと左側面１８Ｃとが交わる部位に位置している。辺２０Ｇは、下面１８Ａと右側面１８Ｄとが交わる部位に位置している。辺２０Ｈは、右側面１８Ｄと上面１８Ｂとが交わる部位に位置している。辺２０Ｅ〜２０Ｈは、互いに沿っている。
【００１７】
辺２０Ｉは、前面１８Ｅと左側面１８Ｃとが交わる部位に位置している。辺２０Ｊは、左側面１８Ｃと後面１８Ｆとが交わる部位に位置している。辺２０Ｋは、後面１８Ｆと右側面１８Ｄとが交わる部位に位置している。辺２０Ｌは、前面１８Ｅと右側面１８Ｄとが交わる部位に位置している。辺２０Ｉ〜２０Ｌは、互いに沿っている。
【００１８】
図３は、本実施形態による充電給電装置を示す斜視図である。図３に示すように、筐体１２には、収容室１４（収容部）が備えられている。収容室１４内には、バッテリ（収容物）１６が収容され得る。バッテリ１６は、収容室１４に対して挿抜し得る。
【００１９】
図１及び図３に示すように、筐体１２の上部には、収容室１４に連なる開口１４ａを覆う覆蓋部（覆蓋部材、カバー）３２が備えられている。覆蓋部３２には、開ボタン３３が備えられている。開ボタン３３がユーザによって押されると、覆蓋部３２を開くようになっている。図１には、覆蓋部３２が閉じられた状態が示されている。図３には、覆蓋部３２が開かれた状態が示されている。図１に示すように、覆蓋部３２には、バッテリ１６の残量を示すためのインジケータ３０が備えられている。覆蓋部３２は、上面１８Ｂに備えられた回動軸３１（図８参照）を中心として回動可能である。かかる回動軸３１は、後述する凹部２４側に備えられている。覆蓋部３２が回動軸３１を中心として回動することにより、収容室１４を開閉し得る。図３に示すように、覆蓋部３２が開かれている際、ユーザは、バッテリ１６を収容室１４に対して挿抜し得る。図１に示すように、覆蓋部３２が閉じられている際、覆蓋部３２の一端は、後面１８Ｆの上端に近接する。換言すれば、覆蓋部３２が閉じられている際、覆蓋部３２の一端は、辺２０Ａに対応する部位の近傍に位置する。覆蓋部３２には、湾曲部３２ａが備えられている。覆蓋部３２が閉じられている際、湾曲部３２ａは辺２０Ａに対応する部位に位置する。
【００２０】
図２に示すように、辺２０Ａは、後面１８Ｆのうちの一方の側、即ち、上側に位置している。換言すれば、辺２０Ａは、上面１８Ｂのうちの一方の側、即ち、後ろ側に位置している。図２及び図３に示すように、辺２０Ａに対応する部位には、収容室１４に連なる開口１４ａ、又は、収容室１４に連なる開口１４ａの周縁部１４ｂが位置している。
【００２１】
図２に示すように、辺２０Ｂは、前面１８Ｅのうちの一方の側、即ち、上側に位置している。換言すれば、辺２０Ｂは、上面１８Ｂのうちの他方の側、即ち、前側に位置している。辺２０Ｂは、上述したように、辺２０Ａに沿っている。図１に示すように、辺２０Ｂに対応する部位には、取手部（第１取手部、把持部、バー、支持部、グリップ）２２Ｂが備えられている。取手部２２Ｂは、幅方向、即ち、Ｘ方向に延在している。
【００２２】
図２に示すように、辺２０Ｃは、前面１８Ｅのうちの他方の側、即ち、下側に位置している。換言すれば、辺２０Ｃは、下面１８Ａのうちの一方の側、即ち、前側に位置している。辺２０Ｃは、上述したように、辺２０Ａに沿っている。図１に示すように、辺２０Ｃに対応する部位には、取手部（第２取手部、把持部、バー、支持部、グリップ）２２Ｃが備えられている。取手部２２Ｃは、幅方向、即ち、Ｘ方向に延在している。
【００２３】
辺２０Ｄは、後面１８Ｆのうちの他方の側、即ち、下側に位置している。換言すれば、辺２０Ｄは、下面１８Ａのうちの他方の側、即ち、後ろ側に位置している。辺２０Ｄは、上述したように、辺２０Ａに沿っている。図４は、本実施形態による充電給電装置を示す斜視図である。図４に示すように、辺２０Ｄに対応する部位には、取手部（第３取手部、支持部、手掛かり部、凹部）２２Ｄが備えられている。取手部２２Ｄは、幅方向、即ち、Ｘ方向に延在するとともに、前面１８Ｅ側に向かって陥没している。即ち、取手部２２Ｄは、上面１８Ｂ側に向かう凹部空間５４（図４参照）を筐体１２に形成することによって構成されている。凹部空間５４は、後述する部分５６ｆ（図７参照）によって画定されている。図７に示すように、当該部分５６ｆの上部は、後面１８Ｆ側に向かって折れ曲がっている。当該部分５６ｆのうちの後面１８Ｆ側に折れ曲がっている部分は、取手部２２Ｄの下端の部位に対して上面１８Ｂ側に位置している。なお、取手部一般について説明する際には、符号２２を用い、個々の取手部について説明する際には符号２２Ｂ〜２２Ｄを用いる。
【００２４】
図１に示すように、辺２０Ｂに対応する部位の近傍には、上面１８Ｂ及び前面１８Ｅの一部を切り欠くような形状の凹部２４が形成されている。凹部２４の底部は部材２５によって画定されており、凹部２４の一方の側部は後述する外縁部材４４Ｃの一部によって構成されており、凹部２４の他方の側部は後述する外縁部材４４Ｄの一部によって構成されている。凹部２４の底部を構成する部材２５の面は、上面１８Ｂに対して斜めになっている。凹部２４がこのように構成されているため、辺２０Ｂに対応する部位に取手部２２Ｂを備え得る。凹部２４の底部を構成する部材２５には、ＵＳＢ電力出力端子（出力端子、コネクタ）２６とＡＣ電力出力端子（出力端子、コネクタ）２８とが備えられている。ＵＳＢ電力出力端子２６とＡＣ電力出力端子２８とは、充電給電装置１０から外部機器に対して電力を供給するためのものである。ＵＳＢ電力出力端子２６は、直流電力を出力し得る。ＵＳＢ電力出力端子２６は、例えば、ＵＳＢケーブルを接続し得るＵＳＢ端子、即ち、ＵＳＢケーブルを接続し得る差し込み口である。ＵＳＢ電力出力端子２６には、直流電力を受ける負荷が接続され得る。ＡＣ電力出力端子２８は、交流電力を出力し得る。ＡＣ電力出力端子２８は、例えば、商用電源プラグを接続し得る差し込み口である。ＡＣ電力出力端子２８には、交流電力を受ける負荷が接続され得る。ここでは、２つのＵＳＢ電力出力端子２６と、２つのＡＣ電力出力端子２８とが備えられている場合を例に説明するが、ＵＳＢ電力出力端子２６の数及びＡＣ電力出力端子２８の数は、これに限定されるものではない。図１には、ＵＳＢ電力出力端子２６とＡＣ電力出力端子２８とにキャップ２７、２９がそれぞれ被せられている状態が示されている。キャップ２７、２９は、ＵＳＢ電力出力端子２６とＡＣ電力出力端子２８とをそれぞれ保護するためのものである。
【００２５】
図５Ａ〜図５Ｆは、本実施形態による充電給電装置を示す六面図である。図５Ａは、下面図であり、図５Ｂは、上面図であり、図５Ｃは、左側面図であり、図５Ｄは、右側面図であり、図５Ｅは、前面図であり、図５Ｆは、後面図である。なお、図５Ｃ、図５Ｄ、図５Ｅ及び図５Ｆにおいては、後述する接地用突起３８が図示されているが、図５Ａにおいては、後述する接地用突起３８の図示が省略されている。
【００２６】
図５Ｆに示すように、凹部空間５４には、ＡＣ電力入力端子（入力端子、コネクタ）３４ＡとＤＣ電力入力端子（入力端子、コネクタ）３４Ｂとが備えられている。ＡＣ電力入力端子３４ＡとＤＣ電力入力端子３４Ｂとは、充電給電装置１０に対して電力を供給するためのものである。ＡＣ電力入力端子３４Ａは、商用の交流電源から供給される電力を充電給電装置１０に入力するための不図示の電源ケーブルが接続され得る差し込み口である。ＤＣ電力入力端子３４Ｂは、直流電力を充電給電装置１０に入力するための不図示の電源ケーブルが接続され得る差し込み口である。
【００２７】
図５Ａに示すように、筐体１２の下面１８Ａには、接地用突起３８（図３参照）を取り付け得るためのネジ穴４０Ａが備えられている。図６は、本実施形態による充電給電装置を示す断面図である。図６に示すように、接地用突起３８は、ネジ４２を用いて筐体１２の下面１８Ａに取り付けられ得る。接地用突起３８が下面１８Ａに取り付けられている状態で筐体１２を起立姿勢にすると、接地用突起３８が床（床面、載置面、配置面）に向かって突出している状態となる。図５Ｃに示すように、後述する外縁部材４４Ｃの四隅には、接地用突起３８を取り付け得るためのネジ穴４０Ｃが備えられている。また、図５Ｄに示すように、後述する外縁部材４４Ｄの四隅には、接地用突起３８を取り付け得るためのネジ穴４０Ｄが備えられている。筐体１２の下面１８Ａから接地用突起３８を取り外し、外縁部材４４Ｃの四隅又は外縁部材４４Ｄの四隅に接地用突起３８を取り付けることも可能である。
【００２８】
図５Ａ及び図６に示すように、下面１８Ａには、通気路（通気口、吸気口、吸気路、隙間）３６Ａ（図５参照）が備えられている。通気路３６Ａは、部分通気路３６Ａｃと部分通気路３６Ａｄとによって構成されている。図５Ｃ及び図６に示すように、左側面１８Ｃには、通気路（通気口、吸気口、吸気路、隙間）３６Ｃが備えられている。図５Ｄ及び図６に示すように、右側面１８Ｄには、通気路（通気口、吸気口、吸気路、隙間）３６Ｄが備えられている。
【００２９】
図７は、本実施形態による充電給電装置を示す断面斜視図である。図７においては、後述するスリット５９（図１０参照）及び後述する開口５７ｄ（図１０参照）の図示が省略されている。図８は、本実施形態による充電給電装置の一部を示す断面図である。図８には、前面１８Ｅ側の断面が示されている。図９は、本実施形態による充電給電装置の一部を示す断面図である。図９には、後面１８Ｆ側の断面が示されている。図７に示すように、前面１８Ｅには、通気路（通気口、排気口、排気路、隙間）３６Ｅが備えられている。通気路３６Ｅは、部分通気路３６Ｅａと部分通気路３６Ｅｂとによって構成されている。図７に示すように、後面１８Ｆ側には、通気路（通気口、吸気口、吸気路、隙間）３６Ｆが備えられている。通気路３６Ｆは、部分通気路３６Ｆａと部分通気路３６Ｆｂとによって構成されている。通気路一般について説明する際には、符号３６を用い、個々の通気路について説明する際には、符号３６Ａ、３６Ｃ、３６Ｄ、３６Ｅ、３６Ｆを用いる。本実施形態によれば、下面１８Ａ、左側面１８Ｃ、右側面１８Ｄ、前面１８Ｅ及び後面１８Ｆに通気路３６Ａ、３６Ｃ、３６Ｄ、３６Ｅ、３６Ｆが備えられている。このため、後述する送風機５２を用いて送風することにより、例えば通気路３６Ａ、３６Ｃ、３６Ｄ、３６Ｆを介して筐体１２内に空気を流入し得るとともに、例えば通気路３６Ｅを介して筐体１２内から空気を排出し得る。従って、本実施形態によれば、筐体１２内を良好に冷却することができる。
【００３０】
図１０は、筐体の下面側に備えられている部材を示す図である。部材５６は、筐体１２の下面１８Ａ側に備えられる。部材５６には、下面１８Ａに対応する板状の部分５６ａが備えられている。当該部分５６ａの一方の側、即ち、後面１８Ｆ側には、当該部分５６ａから屈曲されて連なる部分５６ｆが備えられている。当該部分５６ａの他方の側、即ち、前面１８Ｅ側には、当該部分５６ａから屈曲されて連なる部分５６ｅが備えられている。部分５６ｆは、後面１８Ｆ側に位置し、部分５６ｅは前面１８Ｅ側に位置する。部分５６ｆには、ＡＣ電力入力端子３４Ａが取り付けられる開口５７ｃと、ＤＣ電力入力端子３４Ｂが取り付けられる開口５７ｄとが備えられている。部分５６ｆには、複数のスリット５９が形成されている。ここでは、５本のスリット５９が形成されている場合が例として示されているが、スリット５９の数は５本に限定されるものではない。
【００３１】
図５Ｃ、図５Ｄ及び図６に示すように、筐体１２には、外縁部材（フレーム）４４Ｃ、４４Ｄと、内側部材（サイドカバー、パネル）４６Ｃ、４６Ｄとが備えられている。
【００３２】
外縁部材４４Ｃは、例えば環状（枠状）の部材によって構成されている。内側部材４６Ｃは、例えば板状の部材によって構成されている。外縁部材４４Ｃのうちの左側面１８Ｃに位置する部分は、左側面１８Ｃのうちの外縁側を構成する。内側部材４６Ｃは、外縁部材４４Ｃの内側に備えられている。通気路３６Ｃは、外縁部材４４Ｃの内端と内側部材４６Ｃの外端との間に形成されている。内側部材４６Ｃの外縁は、外縁部材４４Ｃの内縁より大きい。内側部材４６Ｃは、はめ込み式の固定機構（固定構造）４７を用いて筐体１２に固定されている。固定機構４７は、例えば内側部材４６Ｃの四隅に対応するように備えられている。固定機構４７による固定を解除することによって、内側部材４６Ｃを筐体１２から取り外すことが可能である。内側部材４６Ｃのうちの外縁部材４４Ｃと重なり合っている部分は、外縁部材４４Ｃのうちの内側部材４６Ｃと重なり合っている部分に対して、筐体１２の外側に位置している。このため、外縁部材４４Ｃが筐体１２に固定されている状態で、内側部材４６Ｃを取り外すことが可能である。
【００３３】
図６に示すように、外縁部材４４Ｃには、内側部材４６Ｃと外縁部材４４Ｃとが重なり合っている部位において内側部材４６Ｃに向かって突出する突出部（突起部、かえし）４８Ｃが備えられている。突出部４８Ｃは、外縁部材４４Ｃの内縁に備えられている。図１１Ａ〜図１１Ｃは、水の流れを概念的に示す図である。図１１Ａは、左側面図である。図１１Ｂは、左側面１８Ｃの断面図である。突出部４８Ｃは、図１１Ａに示すように、内側部材４６Ｃの外周に沿うように環状に形成されている。環状に形成された突出部４８Ｃのうちの角部は、図１１Ａに示すように湾曲している。即ち、突出部４８Ｃは、直線状部位４８ＣＬＡ、４８ＣＬＢ、４８ＣＬＥ、４８ＣＬＦと、湾曲部位４８ＣＣＡ、４８ＣＣＢ、４８ＣＣＣ、４８ＣＣＤとによって構成されている。直線状部位４８ＣＬＡは、下面１８Ａに沿う部位である。直線状部位４８ＣＬＢは、上面１８Ｂに沿う部位である。直線状部位４８ＣＬＥは、前面１８Ｅに沿う部位である。直線状部位４８ＣＬＦは、後面１８Ｆに沿う部位である。湾曲部位４８ＣＣＡは、辺２０Ａに対応する部位の近傍に位置する。湾曲部位４８ＣＣＢは、辺２０Ｂに対応する部位の近傍に位置する。湾曲部位４８ＣＣＣは、辺２０Ｃに対応する部位の近傍に位置する。湾曲部位４８ＣＣＤは、辺２０Ｄに対応する部位の近傍に位置する。内側部材４６Ｃに向かって突出する突出部４８Ｃが外縁部材４４Ｃの内縁に備えられているため、通気路３６Ｃを介して筐体１２内に入り込む水は、以下のように流れ得る。例えば、通気路３６Ｃのうちの直線状部位４８ＣＬＢに対応する部位に入り込む水は、突出部４８Ｃに衝突した後に、内側部材４６Ｃの内面に達し、内側部材４６Ｃの内面を伝って鉛直方向に流れ得る（図１１Ｂ参照）。また、通気路３６Ｃのうちの湾曲部位４８ＣＣＡに対応する部位に入り込む水は、湾曲部位４８ＣＣＡの形状に沿うように外縁部材４４Ｃの表面を伝って流れ、更に、直線状部位４８ＣＬＦの形状に沿うように外縁部材４４Ｃの表面を伝って流れ得る。また、通気路３６Ｃのうちの湾曲部位４８ＣＣＢに対応する部位に入り込む水は、湾曲部位４８ＣＣＢの形状に沿うように外縁部材４４Ｃの表面を伝って流れ、更に、直線状部位４８ＣＬＥの形状に沿うように外縁部材４４Ｃの表面を伝って流れ得る。このように、突出部４８Ｃは、樋のような役割を果たす。
【００３４】
右側面１８Ｄから左側面１８Ｃに向かう方向における内側部材４６Ｃと外縁部材４４Ｃとの位置関係は、以下のようになっている。即ち、外縁部材４４Ｃのうちの最も当該方向側に位置する部分は、内側部材４６Ｃのうちの最も当該方向側に位置する部分に対して、当該方向側に位置している。換言すれば、左側面１８Ｃの法線方向において、内側部材４６Ｃの最突出部は、外縁部材４４Ｃの最突出部に対して後退している。このため、左側面１８Ｃ側が床に接するように筐体１２を配した際、外縁部材４４Ｃは床に接する一方、内側部材４６Ｃは床に接しない。図１１Ｃは、左側面１８Ｃが下側になるように筐体１２が配された際の状態が示されている。筐体１２内に水が入り込んだ場合、図１１Ｃに示すように、当該水は通気路３６Ｃを介して筐体１２の外部に排出され得る。
【００３５】
外縁部材４４Ｄと外縁部材４４Ｃとは、筐体１２の左右中心に対して鏡面対称となっている。また、内側部材４６Ｄと内側部材４６Ｃとは、筐体１２の左右中心に対して鏡面対称となっている。外縁部材４４Ｄが筐体１２に固定されている状態で、内側部材４６Ｄを取り外すことが可能である。通気路３６Ｄを介して筐体１２内に水が入り込んだ際の水の流れは、通気路３６Ｃを介して筐体１２内に水が入り込んだ際の水の流れと同様である。
【００３６】
図７及び図８に示すように、前面１８Ｅ側には、板状の部材４６Ｅが備えられている。部材４６Ｅのうちの上面１８Ｂ側に位置する部分４６Ｅｂは、部材２５のうちの前面１８Ｅ側の部分２５Ｅと重なり合っている。部材４６Ｅのうちの部材２５と重なり合っている部分４６Ｅｂは、部材２５のうちの部材４６Ｅと重なり合っている部分２５Ｅに対して、筐体１２の内側に位置している。部分通気路３６Ｅｂは、部材４６Ｅのうちの上面１８Ｂ側に位置する部分４６Ｅｂと、部材２５のうちの前面１８Ｅ側に位置する部分２５Ｅとの間に形成されている。上述したように、部分通気路３６Ｅａと部分通気路３６Ｅｂとによって通気路３６Ｅが構成されている。
【００３７】
後面１８Ｆから前面１８Ｅに向かう方向における部材４６Ｅと外縁部材４４Ｃ、４４Ｄとの位置関係は、以下のようになっている。即ち、外縁部材４４Ｃ、４４Ｄのうちの最も当該方向側に位置する部分は、部材４６Ｅのうちの最も当該方向側に位置する部分に対して、当該方向側に位置している。換言すれば、前面１８Ｅの法線方向において、部材４６Ｅの最突出部は、外縁部材４４Ｃ、４４Ｄの最突出部に対して後退している。このため、前面１８Ｅ側が床に接するように筐体１２を配した際、外縁部材４４Ｃ、４４Ｄは床に接する一方、部材４６Ｅは床に接さず、通気路３６Ｅが床によって塞がれてしまうことはない。このため、本実施形態によれば、前面１８Ｅ側が床に接するように筐体１２を配した場合であっても、後述する送風機５２によって排気される空気が、通気路３６Ｅを介して筐体１２の外部に排出され得る。
【００３８】
図７及び図９に示すように、後面１８Ｆ側には、板状の部材４６Ｆが備えられている。部分通気路３６Ｆａは、上述した部分５６ｆと部材４６Ｆとの間に形成されている。部分通気路３６Ｆａは、上述した凹部空間５４に備えられている。部分通気路３６Ｆａが筐体１２の表面ではなく凹部空間５４内に備えられているため、異物は部分通気路３６Ｆａを介して筐体１２内に侵入しにくい。部分通気路３６Ｆｂは、部材４６Ｆのうちの上面１８Ｂ側に位置する部分と、部材４６Ｆに対して上面１８Ｂ側に備えられた部材４９との間に形成されている。部材４９は、覆蓋部３２と部材４６Ｆとの間に位置している。上述したように、部分通気路３６Ｆａと部分通気路３６Ｆｂとにより通気路３６Ｆが構成されている。
【００３９】
図６に示すように、部分通気路３６Ａｃは、部分５６ａと外縁部材４４Ｃとの間に形成されている。また、部分通気路３６Ａｄは、部分５６ａと外縁部材４４Ｄとの間に形成されている。上述したように、部分通気路３６Ａｃと部分通気路３６Ａｄとによって通気路３６Ａが構成されている。上面１８Ｂが床に対向するように筐体１２が配されることはないため、通気路３６Ａが形成された下面１８Ａが上向きになるように筐体１２が配されることはない。このため、通気路３６Ａを介して異物が筐体１２内に侵入する可能性は低く、従って、当該異物が後述する電力変換装置１７に到達する可能性は低い。上述したように、部分通気路３６Ａｃと部分通気路３６Ａｄとにより通気路３６Ａが構成されている。
【００４０】
図７及び図１０に示すように、部材４６Ｅのうちの下面１８Ａ側に位置する部分４６Ｅａは、部材５６のうちの前面１８Ｅ側の部分５６ｅｘと重なり合っている。部材４６Ｅのうちの部材５６と重なり合っている部分４６Ｅａは、部材５６のうちの部材４６Ｅと重なり合っている部分５６ｅｘに対して、筐体１２の内側に位置している。部分通気路３６Ｅａは、部材４６Ｅのうちの下面１８Ａ側に位置する部分４６Ｅａと、部材５６のうちの前面１８Ｅ側に位置する部分５６ｅｘとの間に形成されている。
【００４１】
通気路３６Ｅの断面積（開口サイズ）と、通気路３６Ａの断面積とは、互いに異なっている。より具体的には、通気路３６Ａの断面積は、通気路３６Ｅの断面積より小さい。通気路３６Ｃの断面積と、通気路３６Ｄの断面積とは、同等である。通気路３６Ｃの断面積と、通気路３６Ｅの断面積とは、互いに異なっている。より具体的には、通気路３６Ｃの断面積は、通気路３６Ｅの断面積より小さい。通気路３６Ｄの断面積と、通気路３６Ｅの断面積とは、互いに異なっている。通気路３６Ｄの断面積は、通気路３６Ｅの断面積より小さい。通気路３６Ｅの断面積と、通気路３６Ｆの断面積とは、互いに異なっている。より具体的には、通気路３６Ｆの断面積は、通気路３６Ｅの断面積より小さい。このように、本実施形態では、後述する送風機５２を用いて吸気を行うための通気路３６Ａ、３６Ｃ、３６Ｄ、３６Ｆの断面積が比較的小さく設定されている。このため、本実施形態によれば、通気路３６Ａ、３６Ｃ、３６Ｄ、３６Ｆを介して筐体１２内に異物が侵入するのを抑制することができる。一方、本実施形態では、後述する送風機５２を用いて排気を行うための通気路３６Ｅの断面積が比較的大きく設定されている。このため、本実施形態によれば、万が一、筐体１２内に異物が侵入した場合であっても、当該異物を効果的に排出することができる。
【００４２】
図１２Ａ及び図１２Ｂは、本実施形態による充電給電装置を示す図である。図１２Ａは、上面１８Ｂ側から見た水平断面図である。図１２Ｂに、右側面１８Ｄ側から見た鉛直断面図である。図１２Ａ及び図１２Ｂにおいて、ハッチングが付された矢印は、空気の流れを概念的に示している。
【００４３】
図１２Ａ及び図１２Ｂに示すように、複数の発熱体５０Ａ、５０Ｂが備えられている。発熱体一般について説明する際には符号５０を用い、個々の発熱体について説明する際には符号５０Ａ、５０Ｂを用いる。また、筐体１２内には、発熱体５０Ａ、５０Ｂを冷却するための送風機（ファン）５２が更に備えられている。送風機５２は、図１２Ａ及び図１２Ｂにおける右側から左側に向かって空気を送る。発熱体５０Ａ、５０Ｂは、通気路３６Ａ、３６Ｃ、３６Ｄ、３６Ｆに対して下流側に位置している。発熱体５０Ａ、５０Ｂは、送風機５２に対して上流側に位置している。発熱体５０Ａは、例えばバッテリ１６である。発熱体５０Ｂは、例えば電力変換装置（インバータ・コンバータ・ユニット）１７である。発熱体５０Ｂは、発熱体５０Ａよりも高温になる。発熱体５０Ａは、発熱体５０Ｂに対して上流側に配されている。発熱体５０Ａが収容されている収容室１４と、発熱体５０Ｂが収容されている部位（収容室）との間には、隔壁５１Ａが存在している。発熱体５０Ｂが収容されている部位と、送風機５２が収容されている部位との間には、隔壁５１Ｂが存在している。図１２Ａに示すように、発熱体５０Ａのうちの前面１８Ｅ側の部位と左側面１８Ｃとの間には、障壁部材（シール材）５３Ｃ１が備えられている。発熱体５０Ａのうちの前面１８Ｅ側の部位と右側面１８Ｄとの間には、障壁部材５３Ｄ１が備えられている。発熱体５０Ｂと左側面１８Ｃとの間には、障壁部材５３Ｃ２が備えられている。発熱体５０Ｂと右側面１８Ｄとの間には、障壁部材５３Ｄ２が備えられている。図１２Ｂに示すように、隔壁５１Ａの下端部と発熱体５０Ｂとの間には、障壁部材５３Ａ１が備えられている。発熱体５０Ｂのうちの前面１８Ｅ側の部位と部分５６ｅとの間には、障壁部材５３Ａ２が備えられている。障壁部材５３Ｃ１、５３Ｄ１、５３Ｃ２、５３Ｄ２、５３Ａ１、５３Ａ２は、空気の流れを遮断するためのものである。障壁部材５３Ｃ１、５３Ｄ１、５３Ｃ２、５３Ｄ２、５３Ａ１、５３Ａ２は、例えば発泡シール材によって構成され得るが、これに限定されるものではない。発熱体５０Ａ、５０Ｂ、送風機５２、隔壁５１Ａ、５１Ｂ、及び、障壁部材５３Ａ１、５３Ａ２、５３Ｃ１、５３Ｃ２、５３Ｄ１、５３Ｄ２がこのように配されているため、空気は、矢印で示されたように、筐体１２内を流れる。
【００４４】
図１３Ａ〜図１３Ｆは、本実施形態による充電給電装置を示す六面図である。図１３Ａは、下面図であり、図１３Ｂは、上面図であり、図１３Ｃは、左側面図であり、図１３Ｄは、右側面図であり、図１３Ｅは、前面図であり、図１３Ｆは、後面図である。図１３には、接地用突起３８（図５Ｃ〜図５Ｆ参照）が取り外されている状態が示されている。
【００４５】
下面１８Ａが床に接するように筐体１２を配した場合、上面１８Ｂから下面１８Ａに向かう方向における外縁部材４４Ｃ、４４Ｄと床との位置関係は以下のようになる。即ち、外縁部材４４Ｃのうちの最も当該方向側に位置する部位（部分）５８Ａｃ（図１４参照）と、外縁部材４４Ｄのうちの最も当該方向側に位置する部位５８Ａｄとが、床に接する。当該部位５８Ａｃ、５８Ａｄは、図１３Ａに示すように線状である。下面１８Ａ全体が床に接するわけではなく、線状の部位５８Ａｃ、５８Ａｄが床に接するため、当該部位５８Ａｃ、５８Ａｄの長手方向に筐体１２をスライドさせる場合の摩擦力は比較的小さい。従って、図１３Ａに示す矢印６０Ａの方向に筐体１２をスライドさせる場合には、比較的小さい力で筐体１２をスライドさせることが可能である。このように、下面１８Ａが床に接するように筐体１２を配した場合、前面１８Ｅから後面１８Ｆに向かう方向に、比較的小さい力で筐体１２をスライドさせ得る。また、下面１８Ａが床に接するように筐体１２を配した場合、後面１８Ｆから前面１８Ｅに向かう方向に、比較的小さい力で筐体１２をスライドさせ得る。
【００４６】
左側面１８Ｃが床に接するように筐体１２を配した場合、右側面１８Ｄから左側面１８Ｃに向かう方向における外縁部材４４Ｃと床との位置関係は以下のようになる。即ち、外縁部材４４Ｃのうちの最も当該方向側に位置する部位５８Ｃ（図１１Ｃ参照）が、床に接する。図１４は、本実施形態による充電給電装置の一部を示す断面図である。図１４には、接地用突起３８が下面１８Ａ側に取り付けられている状態が示されている。部位５８Ｃは、図１３Ｃに示すように、略長方形の枠状、即ち、略長方形の環状である。左側面１８Ｃ全体が床に接するわけではなく、環状の部位５８Ｃが床に接するため、筐体１２をスライドさせる場合の摩擦力は比較的小さい。従って、図１３Ｃに示す矢印６０Ｃの方向に筐体１２をスライドさせる場合には、比較的小さい力で筐体１２をスライドさせ得る。このように、左側面１８Ｃが床に接するように筐体１２を配した場合、前面１８Ｅから後面１８Ｆに向かう方向に、比較的小さい力で筐体１２をスライドさせ得る。また、左側面１８Ｃが床に接するように筐体１２を配した場合、後面１８Ｆから前面１８Ｅに向かう方向に、比較的小さい力で筐体１２をスライドさせ得る。また、左側面１８Ｃが床に接するように筐体１２を配した場合、下面１８Ａから上面１８Ｂに向かう方向に、比較的小さい力で筐体１２をスライドさせ得る。また、左側面１８Ｃが床に接するように筐体１２を配した場合、上面１８Ｂから下面１８Ａに向かう方向に、比較的小さい力で筐体１２をスライドさせ得る。
【００４７】
左側面１８Ｃが床に接するように筐体１２を配した場合、環状の部位５８Ｃが床に接するため、左側面１８Ｃに備えられた通気路３６Ｃを介しての吸気が抑制される。このため、このような場合には、通気路３６Ｃを介して異物が筐体１２内に侵入することが抑制される。
【００４８】
右側面１８Ｄが床に接するように筐体１２を配した場合、左側面１８Ｃから右側面１８Ｄに向かう方向における外縁部材４４Ｄと床との位置関係は以下のようになる。即ち、外縁部材４４Ｄのうちの最も当該方向側に位置する部位５８Ｄが、床に接する。右側面１８Ｄと左側面１８Ｃとは、筐体１２の左右中心に対して鏡面対称となっている。従って、右側面１８Ｄが床に接するように筐体１２を配した場合にも、左側面１８Ｃが床に接するように筐体１２を配した場合と同様に、比較的小さい力で筐体１２をスライドさせ得る。また、右側面１８Ｄが床に接するように筐体１２を配した場合にも、左側面１８Ｃが床に接するように筐体１２を配した場合と同様に、通気路３６Ｄを介して異物が筐体１２内に侵入することが抑制される。
【００４９】
前面１８Ｅが床に接するように筐体１２を配した場合、後面１８Ｆから前面１８Ｅに向かう方向における外縁部材４４Ｃ、４４Ｄと床との位置関係は以下のようになる。即ち、外縁部材４４Ｃのうちの最も当該方向側に位置する部位５８Ｅｃと、外縁部材４４Ｄのうちの最も当該方向側に位置する部位５８Ｅｄとが、床に接する。当該部位５８Ｅｃ、５８Ｅｄは、図１３Ｅに示すように線状である。前面１８Ｅ全体が床に接するわけではなく、線状の部位５８Ｅｃ、５８Ｅｄが床に接するため、当該部位５８Ｅｃ、５８Ｅｄの長手方向に筐体１２をスライドさせる場合の摩擦力は比較的小さい。従って、図１３Ｅに示す矢印６０Ｅの方向に筐体１２をスライドさせる場合には、比較的小さい力で筐体１２をスライドさせることが可能である。このように、前面１８Ｅが床に接するように筐体１２を配した場合、下面１８Ａから上面１８Ｂに向かう方向に、比較的小さい力で筐体１２をスライドさせ得る。また、前面１８Ｅが床に接するように筐体１２を配した場合、上面１８Ｂから下面１８Ａに向かう方向に、比較的小さい力で筐体１２をスライドさせ得る。
【００５０】
後面１８Ｆが床に接するように筐体１２を配した場合、前面１８Ｅから後面１８Ｆに向かう方向における外縁部材４４Ｃ、４４Ｄと床との位置関係は以下のようになる。即ち、外縁部材４４Ｃのうちの最も当該方向側に位置する部位５８Ｆｃと、外縁部材４４Ｄのうちの最も当該方向側に位置する部位５８Ｆｄとが、床に接する。当該部位５８Ｆｃ、５８Ｆｄは、図１３Ｆに示すように線状である。後面１８Ｆ全体が床に接するわけではなく、線状の部位５８Ｆｃ、５８Ｆｄが床に接するため、当該部位５８Ｆｃ、５８Ｆｄの長手方向に筐体１２をスライドさせる場合の摩擦力は比較的小さい。従って、図１３Ｆに示す矢印６０Ｆの方向に筐体１２をスライドさせる場合には、比較的小さい力で筐体１２をスライドさせることが可能である。このように、後面１８Ｆが床に接するように筐体１２を配した場合、下面１８Ａから上面１８Ｂに向かう方向に、比較的小さい力で筐体１２をスライドさせ得る。また、後面１８Ｆが床に接するように筐体１２を配した場合、上面１８Ｂから下面１８Ａに向かう方向に、比較的小さい力で筐体１２をスライドさせ得る。
【００５１】
図１５は、筐体を傾けた状態を示す図である。図１５には、下面１８Ａと右側面１８Ｄとが交わる部位に位置する辺２０Ｇに対応する部位のみが床６２と接するように筐体１２が傾けられた状態が示されている。筐体１２をこのように傾けた場合、筐体１２から床６２に向かう方向における外縁部材４４Ｄと床６２との位置関係は以下のようになる。即ち、外縁部材４４Ｄのうちの最も当該方向側に位置する部位５８Ｘが床６２に接する。当該部位５８Ｘは、線状である。床６２に接する部位５８Ｘが線状であるため、当該部位５８Ｘの長手方向に交差する方向に筐体１２をスライドさせる場合には摩擦力が比較的小さい。従って、図１５に示す矢印６０Ｘの方向に筐体１２をスライドさせる場合には、比較的小さい力で筐体１２をスライドさせ得る。
【００５２】
図１６は、本実施形態による充電給電装置を搬送する場合の例を示す図である。図１６には、右側面１８Ｄが下側になるように筐体１２が床６２に配されている場合の例が示されている。図１６に示されている床６２は、例えば自動車の荷台等であるが、これに限定されるものではない。図１６には、筐体１２が配されている床６２の高さが、ユーザ６４が立っている不図示の床の高さに対して高い場合の例が示されている。図１６には、取手部２２Ｂがユーザ６４の右手６６Ｒによって掴まれ、取手部２２Ｃがユーザ６４の左手６６Ｌによって掴まれている場合の例が示されている。ユーザ６４は、取手部２２Ｂ、２２Ｃを掴んだ状態で、充電給電装置１０を自動車の荷台等から引き出すことができる。
【００５３】
図１７は、本実施形態による充電給電装置を搬送する場合の例を示す図である。図１７には、ユーザ６４が充電給電装置１０を一人で持ち運ぶ際の例が示されている。図１７には、取手部２２Ｂがユーザ６４の右手６６Ｒによって掴まれ、取手部２２Ｄがユーザ６４の左手６６Ｌによって掴まれている場合の例が示されている。ユーザ６４は、取手部２２Ｂ、２２Ｄを掴んだ状態で、充電給電装置１０を持ち運ぶことができる。
【００５４】
図１８は、本実施形態による充電給電装置を搬送する場合の例を示す図である。図１８には、２人のユーザ６４Ａ、６４Ｂが協力して充電給電装置１０を持ち運ぶ際の例が示されている。図１８には、階段を上る際に、ユーザ６４Ａが前方に位置し、ユーザ６４Ｂが後方に位置している場合の例が示されている。図１８には、取手部２２Ｂがユーザ６４Ａの右手６４ＡＲによって掴まれ、取手部２２Ｄがユーザ６４Ｂの右手６４ＢＲによって掴まれている場合の例が示されている。ユーザ６４Ａ、６４Ｂは、このようにして、充電給電装置１０を持ち運ぶこともできる。
【００５５】
図１９は、収容室に対するバッテリの挿抜の例を示す図である。図１９には、下面１８Ａが床６２に対向するように筐体１２が配されている場合の例が示されている。図１９には、収容室１４の深さ方向、即ち、鉛直方向に沿うようにバッテリ１６を収容室１４内に対して挿抜する場合の例が示されている。ユーザは、このようにしてバッテリ１６を収容室１４に対して挿抜し得る。
【００５６】
図２０は、収容室に対するバッテリの挿入の例を示す図である。図２０には、下面１８Ａが床６２に対向するように筐体１２が配されている場合の例が示されている。上述したように、辺２０Ａに対応する部位には、収容室１４に連なる開口１４ａ、又は、収容室１４に連なる開口１４ａの周縁部１４ｂが位置している。辺２０Ａに対応する部位には、取手部２２Ｂ〜２２Ｄは設けられていない。辺２０Ａに対応する部位に、収容室１４に連なる開口１４ａ、又は、収容室１４に連なる開口１４ａの周縁部１４ｂが位置しているため、収容室１４内の側面のうちの後面１８Ｆ側の部分は、バッテリ１６を挿入する際にガイド部（案内部）として機能し得る。このように、収容室１４の深さ方向に対して斜めの方向から、バッテリ１６を収容室１４内に挿入することができる。即ち、収容室１４の深さ方向以外の方向からバッテリ１６を収容室１４内に挿入することができる。
【００５７】
図２１は、収容室に対するバッテリの挿入の例を示す図である。図２１には、前面１８Ｅが床６２に対向するように筐体１２が配されている場合の例が示されている。上述したように、辺２０Ａに対応する部位には、収容室１４に連なる開口１４ａ、又は、収容室１４に連なる開口１４ａの周縁部１４ｂが位置している。辺２０Ａに対応する部位には、取手部２２は設けられていない。辺２０Ａに対応する部位に、収容室１４に連なる開口１４ａ、又は、収容室１４に連なる開口１４ａの周縁部１４ｂが位置しているため、収容室１４内の側面のうちの後面１８Ｆ側の部分は、バッテリ１６を挿入する際にガイド部として機能し得る。このように、収容室１４の深さ方向に対して斜めの方向から、バッテリ１６を収容室１４内に挿入することができる。即ち、収容室１４の深さ方向以外の方向からバッテリ１６を収容室１４内に挿入することができる。
【００５８】
このように、本実施形態によれば、通気路３６Ａ、３６Ｃ、３６Ｄ、３６Ｆの断面積と通気路３６Ｅの断面積とが互いに異なる。このため、本実施形態によれば、通気路３６Ａ、３６Ｃ、３６Ｄ、３６Ｆの断面積と通気路３６Ｅの断面積とが適切に設定されているため、通気路３６を介して筐体１２内に異物が侵入するのを抑制することができる。万が一、異物が筐体１２内に侵入した場合であっても、通気路３６Ａ、３６Ｃ、３６Ｄ、３６Ｆの断面積と通気路３６Ｅの断面積とが適切に設定されているため、本実施形態によれば、通気路３６を介して異物を良好に排出することができる。
【００５９】
また、本実施形態によれば、筐体１２の各々の面１８Ａ、１８Ｃ、１８Ｄ、１８Ｅ、１８Ｆに通気路３６Ａ、３６Ｃ、３６Ｄ、３６Ｅ、３６Ｆがそれぞれ備えられているため、様々な設置態様を実現することが可能である。例えば、下面１８Ａが床に対向するように設置することもできるし、左側面１８Ｃが床に対向するように設置することもできるし、右側面１８Ｄが床に対向するように設置することもできる。また、前面１８Ｅが床に対向するように設置することもできるし、後面１８Ｆが床に対向するように設置することもできる。
【００６０】
また、本実施形態によれば、側面１８Ｃ、１８Ｄが床６２に接するように筐体１２を配した場合には、環状の部位５８Ｃ、５８Ｄが床に接するため、側面１８Ｃ、１８Ｄに備えられた通気路３６Ｃ、３６Ｄを介しての吸気が抑制される。このため、このような場合には、通気路３６Ｃ、３６Ｄを介して異物が筐体１２内に侵入するのを抑制することができる。
【００６１】
本発明についての好適な実施形態を上述したが、本発明は上記実施形態に限定されるものではなく、本発明の要旨を逸脱しない範囲において、種々の改変が可能である。
【００６２】
例えば、上記実施形態では、通気路３６Ａ、３６Ｃ、３６Ｄ、３６Ｆが吸気路であり、通気路３６Ｅが排気路である場合を例に説明したが、これに限定されるものではない。例えば、通気路３６Ａ、３６Ｃ、３６Ｄ、３６Ｆを排気路とし、通気路３６Ｅを吸気路としてもよい。この場合、送風機５２は、図１２Ａ、図１２Ｂにおける左側から右側に向かって空気を送る。
【００６３】
また、上記実施形態では、バッテリ１６が収容室１４に対して挿抜される場合を例に説明したが、これに限定されるものではない。バッテリ１６が収容室１４に対して挿抜不能であってもよい。
【００６４】
また、上記実施形態では、充電給電装置１０が、バッテリ１６に対する充電を行い得るとともに、バッテリ１６に蓄えられた電力を外部機器に対して給電し得る場合を例に説明したが、これに限定されるものではない。例えば、充電給電装置１０が、バッテリ１６に対して充電を行い得る一方、バッテリ１６に蓄えられた電力を外部機器に出力し得なくてもよい。また、充電給電装置１０が、バッテリ１６に蓄えられた電力を外部機器に対して給電し得る一方、バッテリ１６に対して充電を行い得なくてもよい。即ち、充電給電装置１０は、充電と給電の両方を行い得る装置を意味するのみならず、充電のみを行い得る装置、及び、給電のみを行い得る装置をも意味し得る。
【００６５】
また、上記実施形態では、筐体１２が充電給電装置１０に適用されている場合を例に説明したが、これに限定されるものではない。筐体１２は、充電給電装置１０以外のあらゆる装置に適用し得る。例えば、筐体１２を、パーソナルコンピュータ等に適用するようにしてもよい。
【００６６】
上記実施形態をまとめると以下のようになる。
【００６７】
充電給電装置（１０）は、略多面体状に形成された筐体（１２）と、前記筐体の複数の面（１８Ａ〜１８Ｆ）のうちのいずれかである第１面（１８Ａ、１８Ｃ、１８Ｄ、１８Ｆ）に形成された第１通気路（３６Ａ、３６Ｃ、３６Ｄ、３６Ｆ）と、前記第１面と異なる第２面（１８Ｅ）に形成された第２通気路（３６Ｅ）とを備え、前記第１通気路の断面積と前記第２通気路の断面積とが互いに異なっている。このような構成によれば、第１通気路の断面積と第２通気路の断面積とが適切に設定されているため、第１通気路又は第２通気路を介して異物が侵入するのを抑制することができる。万が一、異物が筐体１２内に侵入した場合であっても、第１通気路の断面積と第２通気路の断面積とが適切に設定されているため、このような構成によれば、第１通気路又は第２通気路を介して異物を良好に排出することができる。
【００６８】
前記第１通気路は、吸気路であり、前記第２通気路は、排気路であり、前記第１通気路の前記断面積は、前記第２通気路の前記断面積より小さいようにしてもよい。このような構成によれば、吸気路の断面積が比較的小さく設定されているため、吸気路を介して筐体内に異物が侵入するのを抑制することができる。また、排気路が比較的大きく設定されているため、万が一、筐体内に異物が侵入した場合であっても、当該異物を効果的に排出することができる。
【００６９】
前記筐体内に備えられた発熱体（５０Ａ、５０Ｂ）と、前記発熱体を冷却するための送風機（５２）とを更に備えるようにしてもよい。このような構成によれば、送風機を用いて発熱体を良好に冷却することができる。
【００７０】
前記発熱体は、前記第１通気路に対して下流側に位置しているとともに、前記送風機に対して上流側に位置しているようにしてもよい。このような構成によれば、送風機を用いて発熱体を良好に冷却することができる。
【００７１】
前記筐体内には、複数の前記発熱体が備えられており、前記複数の発熱体は、第１発熱体（５０Ａ）と、前記第１発熱体よりも高温になる第２発熱体（５０Ｂ）とを含み、前記第１発熱体は、前記第２発熱体よりも上流側に位置しているようにしてもよい。このような構成によれば、万が一、第１通気路を介して筐体内に異物等が入り込んだとしても、当該異物等が第２発熱体に到達するのを抑制し得るともに、第１発熱体が第２発熱体によって加熱されてしまうのを防止し得る。
【００７２】
前記第１面は、前記第１面のうちの外縁側を構成する外縁部材（４４Ｃ、４４Ｄ）と、前記外縁部材の内側に配された内側部材（４６Ｃ、４６Ｄ）とを備え、前記第１通気路（３６Ｃ、３６Ｄ）は、前記外縁部材の内端と前記内側部材の外端との間に形成されているようにしてもよい。
【００７３】
前記内側部材の外縁は、前記外縁部材の内縁より大きいようにしてもよい。このような構成によれば、筐体の内部に水（雨滴）、ゴミ（塵）等の異物が入り込むのを効果的に防止することができる。
【００７４】
前記内側部材のうちの前記外縁部材と重なり合っている部分は、前記外縁部材のうちの前記内側部材と重なり合っている部分に対して、前記筐体の外側に位置している。このような構成によれば、外縁部材が筐体に固定されている状態で、内側部材を取り外すことができる。
【００７５】
前記外縁部材は、前記内側部材と前記外縁部材とが重なり合っている部位において前記内側部材に向かって突出する突出部を有するようにしてもよい。このような構成によれば、突出部に沿うように水が流れ得るため、筐体の内部に水が入り込むのを効果的に防止することができる。
【００７６】
前記第１面（１８Ｃ）に対向する第３面（１８Ｄ）から前記第１面に向かう方向が第１方向（Ｘ）であり、前記外縁部材のうちの最も前記第１方向側に位置する部分は、前記内側部材のうちの最も前記第１方向側に位置する部分に対して、前記第１方向側に位置しているようにしてもよい。このような構成によれば、第１面が床に対向するように筐体が配された際に、内側部材が床に接するのを防止することができ、第１通気路を介して筐体の外部に水を排出することができる。
【００７７】
前記略多面体状は、略直方体状であるようにしてもよい。
【符号の説明】
【００７８】
１０…充電給電装置                  １２…筐体
１４…収容室                        １４ａ…開口
１４ｂ…周縁部                      １６…バッテリ
１７…電力変換装置                  １８Ａ…下面
１８Ｂ…上面                        １８Ｃ…左側面
１８Ｄ…右側面                      １８Ｅ…前面
１８Ｆ…後面                        ２０…覆蓋部
２０Ａ〜２０Ｌ…辺                  ２２Ｂ〜２２Ｄ…取手部
２３…直方体                        ２４…凹部
２５、４６Ｅ、４６Ｆ、４９、５６…部材
２５Ｅ、４６Ｅａ、４６Ｅｂ、５６ａ、５６ｅ、５６ｅｘ、５６ｆ…部分
２６…ＵＳＢ電力出力端子            ２８…ＡＣ電力出力端子
２７、２９…キャップ                ３０…インジケータ
３１…回動軸                        ３２…覆蓋部
３２ａ…湾曲部                      ３３…開ボタン
３４Ａ…ＡＣ電力入力端子            ３４Ｂ…ＤＣ電力入力端子
３６Ａ、３６Ｃ、３６Ｄ、３６Ｅ、３６Ｆ…通気路
３６Ａｃ、３６Ａｄ、３６Ｅａ、３６Ｅｂ、３６Ｆａ、３６Ｆｂ…部分通気路
３８…接地用突起                    ４０…ネジ穴
４２…ネジ                          ４４Ｃ、４４Ｄ…外縁部材
４６Ｃ、４６Ｄ…内側部材            ４７…固定機構
４８Ｃ…突出部
４８ＣＣＡ、４８ＣＣＢ、４８ＣＣＣ、４８ＣＣＤ…湾曲部位
４８ＣＬＡ、４８ＣＬＢ、４８ＣＬＥ、４８ＣＬＦ…直線状部位
５０Ａ、５０Ｂ…発熱体              ５１Ａ、５１Ｂ…隔壁
５２…送風機
５３Ａ１、５３Ａ２、５３Ｃ１、５３Ｃ２、５３Ｄ１、５３Ｄ２…障壁部材
５４…凹部空間                      ５７ｃ、５７ｄ…開口
５８Ａｃ、５８Ａｄ、５８Ｃ、５８Ｄ、５８Ｅｃ、５８Ｅｄ、５８Ｆｃ、５８Ｆｄ、５８Ｘ…部位
５９…スリット                      ６０Ａ、６０Ｃ〜６０Ｆ、６０Ｘ…矢印
６２…床                            ６４、６４Ａ、６４Ｂ…ユーザ
６４ＡＲ、６４ＢＲ、６６Ｒ…右手    ６４ＲＬ、６６Ｌ…左手
【図１】
2020191728.tif 000003
【図２】
2020191728.tif 000004
【図３】
2020191728.tif 000005
【図４】
2020191728.tif 000006
【図５】
2020191728.tif 000007
【図６】
2020191728.tif 000008
【図７】
2020191728.tif 000009
【図８】
2020191728.tif 000010
【図９】
2020191728.tif 000011
【図１０】
2020191728.tif 000012
【図１１】
2020191728.tif 000013
【図１２】
2020191728.tif 000014
【図１３】
2020191728.tif 000015
【図１４】
2020191728.tif 000016
【図１５】
2020191728.tif 000017
【図１６】
2020191728.tif 000018
【図１７】
2020191728.tif 000019
【図１８】
2020191728.tif 000020
【図１９】
2020191728.tif 000021
【図２０】
2020191728.tif 000022
【図２１】
2020191728.tif 000023